(57)【要約】【課題】グローブボックスの容量拡大と、組み立て作業性の向上とを図ることが可能なグローブボックスユニットを提供する。【解決手段】グローブボックス２と隠れスイッチ装置３とを備えてグローブボックスユニット１を構成する。また、隠れスイッチ装置３を、複数の薄型シート状の隠れスイッチ６と、スイッチ押圧部材７及び保護カバー８を有する薄型シート状の隠れスイッチ９と、グローブボックス２内を照らす照明部１０とを備えて構成する。隠れスイッチ装置３を、複数の機能を集約し一体化したスイッチとして構成する。【選択図】    図２
2004276879.tif 000002
【特許請求の範囲】
【請求項１】
車両のグローブボックスと、該グローブボックス内に設置される一又は複数の隠れスイッチとを備えて構成されるグローブボックスユニットであって、
前記隠れスイッチが一つの場合にその一つを、又は、前記隠れスイッチが複数の場合にそのうちの少なくとも一つを、押圧部を有する表シートと、前記押圧部の押圧移動に伴って変位する可動側の接点と、該可動側の接点に対向して接触し合う固定側の接点及び外部接続手段を有する回路体と、前記表シートと前記回路体との間に介在するとともに前記可動側の接点と前記固定側の接点との接触を確保するための貫通孔を形成した一又は複数のスペーサシートとを備えて構成するとともに、全体を薄型のシート状に形成した
ことを特徴とするグローブボックスユニット。
【請求項２】
請求項１に記載のグローブボックスユニットにおいて、
前記隠れスイッチが複数の場合に、その全てを一カ所に集約配置した
ことを特徴とするグローブボックスユニット。
【請求項３】
請求項１又は請求項２に記載のグローブボックスユニットにおいて、
薄型シート状に形成した前記隠れスイッチに、前記グローブボックス内を照らす照明部を一体化した
ことを特徴とするグローブボックスユニット。
【請求項４】
請求項３に記載のグローブボックスユニットにおいて、
前記照明部の発光体としてＬＥＤを採用した
ことを特徴とするグローブボックスユニット。
【発明の詳細な説明】
【０００１  】
【発明の属する技術分野】
本発明は、車両のグローブボックスと、そのグローブボックス内に設置される隠れスイッチとを備えて構成されるグローブボックスユニットに関する。
【０００２  】
【従来の技術】
従来より車両室内の助手席前には、インストルメントパネルの一部としてグローブボックスが設けられている。そのグローブボックスは、グローブボックス本体と、グローブボックス本体の前面に対して開閉自在となる開閉扉とを備えて構成されている。グローブボックス本体には、開閉扉と干渉してオンオフ操作がなされる開閉検知スイッチ（隠れスイッチ）と、開閉扉の開時においてグローブボックス内部を照らすことが可能なランプ装置とが設けられている（例えば特許文献１参照）。
【０００３  】
開閉検知スイッチ及びランプ装置は、グローブボックス本体において互いに離れて配置されており、ワイヤハーネスによってこれらが接続されている。グローブボックス本体には、開閉検知スイッチ及びランプ装置の他に、トランクリッドオープナーキャンセルスイッチなどの他の隠れスイッチも別位置に設けられている。尚、グローブボックスと上記隠れスイッチ及びランプ装置とによりグローブボックスユニットが構成されるものとする。
【０００４  】
【特許文献１】
特開平８−５３０３０号公報  （第３−４頁、第１図）
【０００５  】
【発明が解決しようとする課題】
ところで、上記従来のグローブボックスユニットにあっては、次のような幾つかの問題点を有している。すなわち、開閉検知スイッチやトランクリッドオープナーキャンセルスイッチなどの隠れスイッチは、特に厚み方向の大きさが大きいことから、グローブボックス本体の奥行き方向に十分な収納取り付けスペースを確保しなければならないという問題点を有している（隠れスイッチの奥行き寸法によりグローブボックスの容量が減少する）。
【０００６  】
また、上記隠れスイッチは、インストルメントパネルに対する固定代部分の近傍に取り付けられることから、その固定代部分の近傍において、スイッチ配置によるデッドスペースを生じさせてしまうという問題点を有している（隠れスイッチの配置によりグローブボックスの容量が減少する）。
【０００７  】
さらに、上記隠れスイッチやランプ装置は、グローブボックス本体に対して個々に設けられることから、組み立てライン上での接続箇所が多くなり、組み立て作業性を低下させてしまうという問題点を有している。
【０００８  】
本発明は、上述した事情に鑑みてなされるもので、グローブボックスの容量拡大を図ることが可能なグローブボックスユニットを提供することを課題とする。また、組み立て作業性の向上を図ることが可能なグローブボックスユニットを提供することを課題とする。
【０００９  】
【課題を解決するための手段】
上記課題を解決するためなされた請求項１記載の本発明のグローブボックスユニットは、車両のグローブボックスと、該グローブボックス内に設置される一又は複数の隠れスイッチとを備えて構成されるグローブボックスユニットであって、前記隠れスイッチが一つの場合にその一つを、又は、前記隠れスイッチが複数の場合にそのうちの少なくとも一つを、押圧部を有する表シートと、前記押圧部の押圧移動に伴って変位する可動側の接点と、該可動側の接点に対向して接触し合う固定側の接点及び外部接続手段を有する回路体と、前記表シートと前記回路体との間に介在するとともに前記可動側の接点と前記固定側の接点との接触を確保するための貫通孔を形成した一又は複数のスペーサシートとを備えて構成するとともに、全体を薄型のシート状に形成したことを特徴としている。
【００１０  】
請求項２記載の本発明のグローブボックスユニットは、請求項１に記載のグローブボックスユニットにおいて、前記隠れスイッチが複数の場合に、その全てを一カ所に集約配置したことを特徴としている。
【００１１  】
請求項３記載の本発明のグローブボックスユニットは、請求項１又は請求項２に記載のグローブボックスユニットにおいて、薄型シート状に形成した前記隠れスイッチに、前記グローブボックス内を照らす照明部を一体化したことを特徴としている。
【００１２  】
請求項４記載の本発明のグローブボックスユニットは、請求項３に記載のグローブボックスユニットにおいて、前記照明部の発光体としてＬＥＤを採用したことを特徴としている。
【００１３  】
請求項１に記載された本発明によれば、薄型シート状の隠れスイッチがグローブボックス内に設置される。その隠れスイッチを薄型シート状にするためには、押圧部を有する表シートと、可動側の接点と、固定側の接点及び外部接続手段を有する回路体と、一又は複数のスペーサシートとを備えて構成することがよい。このような薄型シート状の隠れスイッチを用いることにより、隠れスイッチの構造及び構成が要因となってグローブボックスの容量が減少することはない。
【００１４  】
請求項２に記載された本発明によれば、複数の隠れスイッチの全てがグローブボックス内の一カ所に集約される。これにより、グローブボックスの容量を減少させる要因がグローブボックス内の各所に点在しないことになる。従って、より一層、グローブボックスの容量拡大を図ることが可能になる。また、一カ所に集約させることにより、組み立てが容易になり、作業性の向上を図ることが可能になる。尚、集約する位置として、グローブボックス内を照らす照明部の周辺が挙げられる。
【００１５  】
請求項３に記載された本発明によれば、薄型シート状の隠れスイッチに照明部が一体化される。その照明部は、隠れスイッチのオンオフ操作に応じてグローブボックス内を照らしたりする。このように照明部を一体化することにより、グローブボックスユニットの組み立て時において、隠れスイッチと照明部との電気的な接続作業を行う必要がなくなり、作業性の向上を図ることが可能になる。また、集約化が進むことから、より一層、グローブボックスの容量拡大を図ることが可能になる。
【００１６  】
請求項４に記載された本発明によれば、照明部の発光体としてＬＥＤ（発光ダイオード）を採用したグローブボックスユニットになる。発光体としてＬＥＤが採用されることにより、照明部の薄型化が図られ、照明部を一体化した隠れスイッチの厚みがより一層薄くなる。
【００１７  】
【発明の実施の形態】
以下、図面を参照して本発明の実施の形態を説明する。
図１は本発明のグローブボックスユニットの一実施の形態を示す斜視図である。また、図２は図１の要部の分解斜視図、図３は図１の要部の断面図、図４は薄型シート状の隠れスイッチの断面図である。
【００１８  】
図１において、引用符号１は本発明に係るグローブボックスユニットを示している。そのグローブボックスユニット１は、車両室内における助手席前のインストルメントパネルに設けられており、インストルメントパネルに固定されるグローブボックス２と、グローブボックス２内に設置される隠れスイッチ装置３とを備えて構成されている。
【００１９  】
図１ないし図３において、上記グローブボックス２は、グローブボックス本体４と、そのグローブボックス本体４の前面に対して開閉自在となる開閉扉５とを備えて構成されている。また、上記隠れスイッチ装置３は、複数の隠れスイッチ６（６ａ、６ｂ）と、スイッチ押圧部材７及び保護カバー８を有する隠れスイッチ９と、グローブボックス２内を照らす照明部１０とを備えて構成されている。隠れスイッチ装置３は、図示の如く複数の機能を集約し一体化したスイッチとして構成されている。以下、各構成について詳細に説明する。
【００２０  】
上記グローブボックス本体４は、縦断面視略三角形状の収納用空間を有する箱状の部材であって、その前面には、インストルメントパネルに対する固定代部分１１が一体に形成されている。固定代部分１１は、フランジ状に形成されており、特に図示しないが、ネジ止め用の穴が複数形成されている。グローブボックス本体４の上壁となるベースパネル１２の前端中央部分には、固定代部分１１を切り欠くような状態で扉係止部１３が形成されいる。その扉係止部１３には、コ字状のストライカ１４が設けられており、開閉扉５の閉時において、開閉扉５のラッチ１５が係止されるようになっている。
【００２１  】
扉係止部１３の向かって右側には、上記隠れスイッチ装置３に対する設置部１６が形成されている。その設置部１６は、上記隠れスイッチ装置３の機能を効率よく発揮できる形状をねらって形成されている。設置部１６は、本形態において、扉係止部１３と固定代部分１１とベースパネル１２とに跨る図示のような形状（後述する）に形成されている。このような設置部１６には、隠れスイッチ装置３の後述する一体化隠れスイッチが例えば貼り付けのような適宜固定手段により固定されるようになっている。尚、設置部１６の配置は特に限定されないものとする（扉係止部１３の向かって右側に限らない）。本形態の設置部１６は、照明部１０の配置を考慮してその位置が設定されている。
【００２２  】
設置部１６は、扉係止部１３の側面に形成される第一設置部１６ａと、固定代部分１１の表面に形成される第二設置部１６ｂと、第一設置部１６ａ及び第二設置部１６ｂに連続するようにベースパネル１２の下面に形成される第三設置部１６ｃとを有している。
【００２３  】
第一設置部１６ａには、隠れスイッチ９の部分が固定される凹部１６ａ−１が形成されている。また、第一設置部１６ａには、スイッチ押圧部材７を保護するための保護カバー８を係止固定させるための係止部１６ａ−２が複数形成されている（保護カバー８に対する係止構造は一例であるものとする）。第二設置部１６ｂには、隠れスイッチ６ａ及び６ｂの部分が固定される凹部１６ｂ−１が形成されている。
【００２４  】
第三設置部１６ｃには、照明部１０の部分が固定される凹部１６ｃ−１が形成されている。また、第三設置部１６ｃには、照明部１０を構成するレンズカバー１７を係止固定させるための係止部１６ｃ−２が複数形成されている（レンズカバー１７に対する係止構造は一例であるものとする）。さらに、第三設置部１６ｃには、後述する外部接続手段に対する引き出し用の貫通孔１６ｃ−３が形成されている。
【００２５  】
上記開閉扉５は、グローブボックス本体４と同様、縦断面視略三角形状の収納用空間を有する箱状の部材であって、その側部には、ピン状の突起部１８が形成されている。開閉扉５は、グローブボックス本体４に貫通形成された円弧状のガイド部１９に突起部１８が案内されてその範囲内で開閉するようになっている。開閉扉５には、上記ラッチ１５が設けられており、その近傍には、隠れスイッチ９をオンオフ操作するための操作用リブ２０が形成されている。操作用リブ２０は、突起状に形成されており、スイッチ押圧部材７に対して作用するようになっている。隠れスイッチ９は、開閉扉５の開閉動作に伴い、操作用リブ２０がスイッチ押圧部材７に作用して、その結果、オンオフ操作がなされるようになっている。
【００２６  】
上記隠れスイッチ装置３は、特に限定するものではないが、隠れスイッチ６ａ及び６ｂと隠れスイッチ９とが一体化されており、その一体化されたものが柔軟性を有する薄型のシート状に形成されている。薄型シート状に形成された部分を、以下、一体化隠れスイッチ２１と呼ぶことにすると、隠れスイッチ装置３は、一体化隠れスイッチ２１とスイッチ押圧部材７と保護カバー８と照明部１０とを備えて構成されるようになる。
【００２７  】
一体化隠れスイッチ２１には、照明部１０を構成する発光体としてのＬＥＤ２２が実装されている。尚、ＬＥＤ２２に替えて従来同様のバルブ（電球）を採用してもよいものとする。但し、ＬＥＤ２２の方がバルブ（電球）よりも照明部１０を薄型にすることができるという利点を有している。
【００２８  】
図４も参照しながら上記一体化隠れスイッチ２１について説明すると、その一体化隠れスイッチ２１は、表シート２３と、可動側の接点２４と、スペーサシート２５と、固定側の接点２６及び外部接続手段２７を有する回路体２８と、複数の接着層２９と、固定手段３０と、を備えて構成されている。本形態の一体化隠れスイッチ２１は、ドームスイッチとして形成されている。
【００２９  】
表シート２３は、例えばポリエチレンテレフタレート（ＰＥＴ）又はポリエチレンナフタレート（ＰＥＮ）からなる合成樹脂製のシート部材であって、熱プレスを施すことにより複数の押圧部３１が形成されている。尚、本形態において、押圧部３１は、隠れスイッチ６ａ、６ｂ、及び隠れスイッチ９の押圧部として三つ形成されている。ここで、隠れスイッチ６ａ及び６ｂの具体的な一例を挙げると、トランクリッドオープナーキャンセルスイッチやフューエルリッドキャンセルスイッチなどが挙げられる。これに対して本形態の隠れスイッチ９は、開閉検知スイッチとして設定されている。
【００３０  】
押圧部３１は、表シート２３の外面側に突出するとともに内面側に反転可能なドーム形状に形成されており、押圧部３１における上記内面には、上記回路体２８に対する可動側の接点２４が設けられている。可動側の接点２４は、カーボン等からなり上記内面の頂部に例えば印刷によって設けられている。表シート２３は、上記材質であることから元々透明であって、本形態においては、その内面又は外面に意匠部が印刷等によって形成されている。
【００３１  】
スペーサシート２５は、例えばポリエチレンテレフタレート（ＰＥＴ）又はポリエチレンナフタレート（ＰＥＮ）からなる合成樹脂製のシート部材であって、表シート２３の変形防止と、押圧部３１の反転の際の空気抜きと、押圧部３１のストローク寸法確保とを実現するために設けられている。スペーサシート２５の表裏面には、既知の上記接着層２９がそれぞれ設けられており、表シート２３と回路体２８とを各々上記表裏面に固定することができるようになっている。
【００３２  】
スペーサシート２５は、押圧部３１の位置に対応して形成された貫通孔３２と、図示しない空気逃がし部とを有しており、貫通孔３２には、反転させた押圧部３１が挿通されるようになっている。貫通孔３２は、押圧部３１の直径よりも大きな直径を有するように形成されている（押圧部３１の直径と同じであってもよいものとする）。
【００３３  】
回路体２８は、例えばＦＰＣ（フレキシブル・プリント・サーキット）により形成されている。また、回路体２８は、所望のパターンに配索された図示しないスイッチ回路を有する回路体本体３３と、外部との電気的な接続に用いられる上記外部接続手段２７（図２及び図３参照）とを備えて構成されている。
【００３４  】
回路体本体３３のスペーサシート２５側には、上記可動側の接点２４が接触する固定側の接点２６と上記ＬＥＤ２２とが設けられている。外部接続手段２７は、回路体本体３３から引き出される結線回路部３４と、その結線回路部３４の先端部分に設けられるコネクタ３５とを備えて構成されている。
【００３５  】
固定手段３０は、一体化隠れスイッチ２１を設置部１６の各凹部１６ａ−１、１６ｂ−１、及び１６ｃ−１に対して取り付け固定するための部材であって、本形態においては、既知の上記接着層２９と同じもの（例えば粘着シート）がこれに相当するようになっている。
【００３６  】
上記構成において、一体化隠れスイッチ２１は次のように組み立てられる。先ず、表シート２３をスペーサシート２５の表面に接着固定する。次に、回路体２８をスペーサシート２５の裏面に接着固定すると組み立てが完了する。
【００３７  】
そして、このように組み立てられた一体化隠れスイッチ２１は、次のように取り付けられる。先ず、回路体２８側から一体化隠れスイッチ２１を設置部１６に取り付け固定する。次に、貫通孔１６ｃ−３から引き出した外部接続手段２７のコネクタ３５をインパネワイヤハーネス３６のコネクタ３７に接続すると取り付けが完了する。
【００３８  】
一体化隠れスイッチ２１を取り付けた設置部１６には、スイッチ押圧部材７を設けた保護カバー８が係止される。また、レンズカバー１７も同様に係止される。これにより、隠れスイッチ装置３の組み立て及び設置が完了する。
【００３９  】
続いて、隠れスイッチ装置３のスイッチオンオフ操作について説明する（作用図面は省略）。先ず、トランクリッドオープナーキャンセルスイッチやフューエルリッドキャンセルスイッチなどの隠れスイッチ６ａ及び６ｂのスイッチオンオフ操作について説明する。
【００４０  】
スイッチ操作前となる押圧部３１に荷重が掛かっていない状態では、押圧部３１自体の保形性によって、その形状が保持された状態にある。そして、スイッチ操作がなされ、押圧部３１がスイッチ操作をする者の指３８により矢線方向に押圧されると、押圧部３１が指３８の押圧による荷重に抗しながら、ある荷重を境にして座屈し反転する（この時、クリック感が発生することが好ましい）。押圧部３１が座屈、反転すると押圧方向の荷重が減少し、押圧部３１の押圧がスムーズに進行する。反転した押圧部３１は更に押し込まれてスペーサシート２５の貫通孔３２に挿通され、押圧部３１に設けられた可動側の接点２４が貫通孔３２を介して回路体２８の固定側の接点２６に接触する。
【００４１  】
これにより、回路体２８の図示しないスイッチ回路が導通状態となり、スイッチはＯＮされる（操作対象となる機能が作動状態になる）。一方、指３８が離され押圧方向の荷重が解除されると、押圧部３１はもとの状態に復帰する。その後、上記の操作が再度行われると、これに伴ってスイッチはＯＦＦされる（作動状態が解除される）。
【００４２  】
隠れスイッチ９のスイッチオンオフ操作は、開閉扉５の閉動作に伴って操作用リブ２０がスイッチ押圧部材７に作用し、そのスイッチ押圧部材７によって押圧部３１が押圧されると、押圧部３１が反転する（クリック感の発生は不要）。そして、押圧部３１が反転すると押圧方向の荷重が減少し、押圧部３１の押圧がスムーズに進行する。反転した押圧部３１は更に押し込まれてスペーサシート２５の貫通孔３２に挿通され、押圧部３１に設けられた可動側の接点２４が貫通孔３２を介して回路体２８の固定側の接点２６に接触する。
【００４３  】
これにより、回路体２８の図示しないスイッチ回路が導通状態となり、開閉扉５は閉じていると検知される。一方、開閉扉５が開き押圧部３１への荷重が解除されると、押圧部３１はもとの状態に復帰する。これにより、開閉扉５は開いていると検知され、照明部１０のＬＥＤ２２が発光する。グローブボックス２内は、照明部１０により照らされる。
【００４４  】
尚、一体化隠れスイッチ２１の構成や、隠れスイッチ９の構成を次のように変更してもよいものとする。以下、簡単にその構成を説明する。
【００４５  】
図５において、一体化隠れスイッチ４１は、薄型のシート状に形成されており、ドーム形状の押圧部４２を有する表シート４３と、貫通孔４４を有する第一のスペーサシート４５と、裏面に可動側の接点４６を有するメンブレンシート４７と、貫通孔４８を有する第二のスペーサシート４９と、複数の接着層５０と、固定側の接点５１及び外部接続手段（不図示）を有する回路体５２と、固定手段５３とを備えて構成されている（指で操作するようなトランクリッドオープナーキャンセルスイッチやフューエルリッドキャンセルスイッチなどの隠れスイッチの場合、表シート４３及び第一のスペーサシート４５を除いた構成にしてもよいものとする。この場合、メンブレンシート４７の平坦な表面が押圧部に相当するものとする）。
【００４６  】
図６及び図７において、隠れスイッチ６１は、摺動接点子６２、スイッチノブ６３、及びガイド６４を有するスライダ６５と、そのスライダ６５を保護し第一設置部１６ａに係止される保護カバー６６と、保護カバー６６内においてスライダ６５を進退自在にするバネ６７と、第一設置部１６ａの凹部１６ａ−１に露出した状態で設置される回路体６８とを備えて構成されている。回路体６８は、一体化隠れスイッチ６９のＦＰＣ製の回路体の一部であって、摺動接点子６２が電気的に接触する銅箔パターン７０を有している。隠れスイッチ６１は、開閉扉５の開閉動作に伴ってスライダ６５がスライドし、これによりスイッチ操作がなされるようになっている。
【００４７  】
以上、図１ないし図７を参照しながら説明してきたように、本発明に係るグローブボックスユニットは、薄型シート状の隠れスイッチを用いていることから、グローブボックスの容量を従来よりも拡大することができる。また、複数の隠れスイッチの全てをグローブボックス内の一カ所に集約していることから、従来のような隠れスイッチの点在をなくし、グローブボックスの容量をより一層拡大することができる。さらに、一カ所に集約させていることから、組み立てを容易にし、作業性の向上を図ることができる。さらにまた、照明部を一体化していることから、組み立て時の電気的な接続作業を廃止し、作業性のより一層の向上を図ることができる。さらにまた、照明部を一体化していることから、集約化を進めてグローブボックスの容量をより一層拡大することができる。さらにまた、照明部の発光体をＬＥＤとしていることから、照明部をより一層薄型にしてグローブボックスの容量をより一層拡大することができる。
【００４８  】
その他、本発明は本発明の主旨を変えない範囲で種々変更実施可能なことは勿論である。
【００４９  】
【発明の効果】
以上説明したように、請求項１に記載された本発明によれば、薄型シート状の隠れスイッチを用いることにより、グローブボックスの容量を従来よりも拡大することができるという効果を奏する。
【００５０  】
請求項２に記載された本発明によれば、複数の隠れスイッチの全てをグローブボックス内の一カ所に集約することにより、隠れスイッチの点在がなくなり、グローブボックスの容量をより一層拡大することができるという効果を奏する。また、一カ所に集約させることにより、組み立てを容易にし、作業性の向上を図ることができるという効果を奏する。
【００５１  】
請求項３に記載された本発明によれば、薄型シート状の隠れスイッチに照明部を一体化することにより、組み立て時の電気的な接続作業を廃止することができる。従って、作業性の向上を図ることができるという効果を奏する。また、集約化を進めてグローブボックスの容量をより一層拡大することができるという効果を奏する。
【００５２  】
請求項４に記載された本発明によれば、照明部の発光体にＬＥＤを採用することにより、照明部を一体化した隠れスイッチをより一層薄型にすることができるという効果を奏する。
【図面の簡単な説明】
【図１】本発明によるグローブボックスユニットの一実施の形態を示す斜視図である。
【図２】図１の要部の分解斜視図である。
【図３】図１の要部の断面図である。
【図４】薄型シート状の隠れスイッチの断面図である。
【図５】薄型シート状の隠れスイッチの他の例を示す断面図である。
【図６】図１の要部の他の例を示す斜視図である。
【図７】図６の要部の分解斜視図である。
【符号の説明】
１  グローブボックスユニット
２  グローブボックス
３  隠れスイッチ装置
４  グローブボックス本体
５  開閉扉
６、９  隠れスイッチ
７  スイッチ押圧部材
８  保護カバー
１０  照明部
１６  設置部
１７  レンズカバー
２０  操作用リブ
２１  一体化隠れスイッチ
２２  ＬＥＤ
２３  表シート
２４  可動側の接点
２５  スペーサシート
２６  固定側の接点
２７  外部接続手段
２８  回路体
３１  押圧部
３２  貫通孔
【図１】
2004276879.tif 000003
【図２】
2004276879.tif 000004
【図３】
2004276879.tif 000005
【図４】
2004276879.tif 000006
【図５】
2004276879.tif 000007
【図６】
2004276879.tif 000008
【図７】
2004276879.tif 000009